(57)【要約】【課題】扉中継基板と筐体側の制御基板との間に接続されたケーブルを扉中継基板から外して不正に遊技媒体を獲得する不正行為を実施上有効に防止する。【解決手段】筐体内に、複数の変動表示部を有する変動表示装置と遊技動作を司る制御基板とが配置され、筐体の前方開口部に遊技面を構成する前扉が取り付けられている。前扉の表面側には変動表示装置の変動表示が透視可能な表示窓と、変動表示装置の変動表示に関連する操作部とが設けられており、前扉の裏面側には上記操作部の操作信号を上記制御基板に転送するための扉中継基板３３が取り付けられている。扉中継基板の取付面と反対側の表面全体を覆う中継基板カバー８４を備え、この中継基板カバーは、その配置箇所に締結具９０により固定するための固定部８９と、中継基板カバーの固定状態が一旦解除された場合にその痕跡を表示する痕跡表示手段とを有する。【選択図】図１２
2008067873.tif 000002
【特許請求の範囲】
【請求項１】
筐体内に、複数の変動表示部を有する変動表示装置と遊技動作を司る制御基板とが配置されているとともに、この筐体の前方開口部に遊技面を構成する前扉が取り付けられ、この前扉の表面側には上記変動表示装置の変動表示が透視可能な表示窓と、変動表示装置の変動表示に関連する操作部とが設けられており、前扉の裏面側には上記操作部の操作信号を上記制御基板に転送するための扉中継基板が取り付けられてなるスロットマシンにおいて、
上記扉中継基板の取付面と反対側の表面全体を覆う中継基板カバーを備え、この中継基板カバーは、その配置箇所に締結具により固定するための固定部と、中継基板カバーの固定状態が一旦解除された場合にその痕跡を表示する痕跡表示手段とを有してなることを特徴とするスロットマシン。
【請求項２】
上記扉中継基板は、一回の遊技動作を完結するために設けられた複数の操作部からの操作信号を制御基板に転送するものであり、上記複数の操作部のうち、少なくとも一つの操作部にはその発信部を覆うカバー部材が設けられ、このカバー部材は、その配置個所に締結具により固定するための固定部と、カバー部材の固定状態が一旦解除された場合にその痕跡を表示する痕跡表示手段とを有している請求項１記載のスロットマシン。
【請求項３】
上記カバー部材は、変動表示装置の各変動表示部の変動表示を個別に停止させる複数の停止スイッチに接続されたスイッチ基板を覆うものである請求項２記載のスロットマシン。
【請求項４】
上記中継基板カバーの痕跡表示手段は、中継基板カバーの固定部を中継基板カバーの他の部位に連結しかつ切断し易くするために狭小に形成された脆弱部からなる請求項１記載のスロットマシン。
【請求項５】
上記カバー部材の痕跡表示手段は、カバー部材の固定部をカバー部材の他の部位に連結しかつ切断し易くするために狭小に形成された脆弱部からなる請求項２又は３記載のスロットマシン。
【請求項６】
上記締結具は、ねじ込み方向にのみ操作可能なワンウエイネジからなり、上記固定部は、このワンウエイネジが挿入可能な段付き孔を有する略円筒状のものであり、上記脆弱部は、１つの固定部に対し一対設けられている請求項４又は５記載のスロットマシン。
【請求項７】
上記固定部には一対の脆弱部に挟まれた部位にスリットが設けられているとともに、固定部の段付き孔の大径孔部の内面にはワンウエイネジの頭部と滑り難くするための滑り止め部が形成されている請求項６記載のスロットマシン。
【請求項８】
上記中継基板カバーには扉中継基板に実装されたコネクタに接続するケーブルを通すための切り欠き部が設けられ、この切り欠き部の幅寸法は、上記ケーブル側のコネクタのヘッド長さよりも小さく設定されている請求項１ないし請求項７のいずれか一つに記載のスロットマシン。
【発明の詳細な説明】
【技術分野】
【０００１】
本発明は、遊技機としてのスロットマシンに関し、特に、遊技面を構成する前扉の裏面側に、スタートスイッチや停止スイッチなどの操作部の操作信号を筐体側の制御基板に転送するための扉中継基板を取り付ける場合の不正行為の防止対策に係わる。
【背景技術】
【０００２】
一般に、スロットマシンにおいては、筐体内に、複数の回転リールを有するリール装置と遊技動作を司る制御基板とが配置されているとともに、この筐体の前方開口部に遊技面を構成する前扉が取り付けられている。また、この前扉の表面側には上記リール装置の各回転リールが透視可能なリール表示窓と、リール装置の各回転リールの回転に関連するスタートスイッチや停止スイッチなどの操作部とが設けられており、前扉の裏面側には上記操作部の操作信号を上記制御基板に転送するための扉中継基板などが取り付けられている。
【０００３】
そして、従来、この種のスロットマシンにおいて、制御基板の実装品であるＲＯＭの取り替えなどの不正行為を防止するための対策としては、制御基板を、上ケースと下ケースとからなる箱状の基板ケース内に収納し、この基板ケースの開放を禁止するいわゆる封印構造が種々提案され、実用化されている。例えば特許文献１には、基板ケースの上ケースの周縁部に上ケースと下ケースとを結合するための複数の結合部を形成し、一回の結合時にはその中の少なくとも１つの結合部でワンウエイネジ、リベット又はピンなどの締結具により分離不能に結合することが開示されている。この封印構造によれば、制御基板の不正改造をするためには結合部又はその周辺を破壊しなければならず、また不正改造が行われた場合には破壊の痕跡が残ることから、制御基板の不正改造を予防ないし防止できるという効果が得られる。
【０００４】
また、上記制御基板には、通常、スロットマシンに装備される他の基板（例えば中継基板や電装基板など）からの信号を受け、あるいは信号を送るためのコネクタが実装されている。このため、制御基板を収納する基板ケースの上ケースには、コネクタに対向して開口部が設けられ、この開口部を通してケーブル側のコネクタが基板側のコネクタに接続されるように構成されている。そして、この場合、不正な遊技者などがケーブル側のコネクタを外し、基板側のコネクタに不正な機器を接続することにより、基板ケース内に収納された制御基板に対し不正な信号を入力して不正に遊技媒体を獲得するという不正行為が行われる虞がある。このような不正行為を防止するために、例えば特許文献２に開示されているように、制御基板側のコネクタにケーブル側のコネクタを接続した後、この両コネクタを覆うコネクタカバーを設けるとともに、このコネクタカバーに、制御基板側のコネクタ又はケーブル側のコネクタと係合する突起部を形成して、両コネクタを覆って基板ケースに装着されたコネクタカバーを外し難くしたものが提案されている。尚、特許文献３には、内部抽選によりボーナスフラグが成立しても当面はそのボーナスフラグのストックを行い、ボーナスが成立不可能な状態を所定ゲーム数持続することで遊技性を高めたいわゆるストック機能を有するスロットマシンが開示されている。
【特許文献１】特許第２８９５８２９号公報
【特許文献２】特開２００６−３４７８４号公報
【特許文献３】特開２００４−２４５３７号公報（第７頁）
【発明の開示】
【発明が解決しようとする課題】
【０００５】
ところが、従来のスロットマシンでは、前扉の裏面側に取り付けられる扉中継基板は、ケーブルを介して筐体側の制御基板に接続され、かつ筐体側の制御基板よりも手の届き易い位置にあるにも拘わらず、収納ケース内に収納されることなく、露出した状態で取り付けられているのが実情である。このため、扉中継基板に接続されたケーブルを外し、このケーブルに不正な機器を接続することにより、基板ケース内に収納された制御基板に対し不正な信号を入力して不正に遊技媒体を獲得するという不正行為が行われる虞がある。
【０００６】
そこで、このような不正行為を防止するために、扉中継基板を、制御基板と同様に、上ケースと下ケースとかなる基板ケース内に収納し、この基板ケースの開放を封印構造でもって禁止するように構成することが考えられる。しかし、扉中継基板の取付箇所は、前扉裏面側のリール表示窓下縁部であり、この取付箇所で扉中継基板を基板ケース内に収納した状態で取り付けた場合、基板ケースを含めた構造全体の厚みが大きくなるので、その基板ケースとの干渉を避けるためにリール装置等の内部構造を筐体内の奥寄りに移動させる必要があり、内部構造の設計自由度を制限してしまうとともに、前扉のリール表示窓とリール装置の回転リールとの間の寸法がその分大きくなるという不具合がある。
【０００７】
本発明はかかる諸点に鑑みてなされたものであり、その課題とするところは、前扉の裏面側に取り付けられる扉中継基板に対し適切な不正行為の防止対策を講じることにより、リール装置を筐体内の奥寄りに移動させることなく、扉中継基板と筐体側の制御基板との間に接続されたケーブルを扉中継基板から外して不正に遊技媒体を獲得するという不正行為を実施上有効に防止し得るスロットマシンを提供せんとするものである。
【課題を解決するための手段】
【０００８】
上記の課題を解決するため、請求項１に係る発明は、スロットマシンとして、筐体内に、複数の変動表示部を有する変動表示装置（例えば回転リールを有するリール装置など）と遊技動作を司る制御基板とが配置されているとともに、この筐体の前方開口部に遊技面を構成する前扉が取り付けられ、この前扉の表面側には上記変動表示装置の変動表示が透視可能な表示窓と、変動表示装置の変動表示に関連する操作部とが設けられており、前扉の裏面側には上記操作部の操作信号を上記制御基板に転送するための扉中継基板が取り付けられてなることを前提とする。そして、上記扉中継基板の取付面と反対側の表面全体を覆う中継基板カバーを備え、この中継基板カバーは、その配置箇所に締結具により固定するための固定部と、中継基板カバーの固定状態が一旦解除された場合にその痕跡を表示する痕跡表示手段とを有する構成にする。
【０００９】
この構成では、前扉の裏面側に取り付けられた扉中継基板の取付面と反対側の表面全体が中継基板カバーによって覆われており、また、この中継基板カバーは固定部で固定され、その固定状態が一旦解除された場合その痕跡が痕跡表示手段によって表示されるため、上記扉中継基板側のコネクタに接続されたケーブルを外して筐体側の制御基板に不正な信号を入力するなどの不正行為を予防ないし防止することができる。しかも、扉中継基板は、従来どおり前扉の裏面側に取り付けられた状態のままであって、この扉中継基板の取付面と反対側の表面全体を中継基板カバーで覆っているに過ぎないため、干渉を避けるために筐体側の変動表示装置を筐体内の奥寄りに移動させる必要はない。また、部品点数が少なくて済むため、コストダウンを図れ、実施化の上で有効である。
【００１０】
ここで、スロットマシン、特に、背景技術の項で例示した特許文献３などに開示するいわゆるストック機能を有するスロットマシンに対する不正行為として、遊技者の操作を伴わずに短時間に数多くのゲームを消化する機能を有する不正な機器を接続することによって、ストックゲームを消化していわゆるフラグの放出状態とし、この放出状態から遊技を行うことで不正に遊技媒体であるメダルを獲得することがある。スロットマシンの場合、一回の遊技は、メダルの投入、スタートスイッチの操作及び停止スイッチの操作で完結することから、遊技回数を擬似的に消化するためには、遊技者の操作に対応して、メダル投入の信号、スタートスイッチの操作信号及び停止スイッチの操作信号の全てをそれぞれ不正に入力する必要がある。それ故、上記扉中継基板において、操作部の操作信号として少なくとも、スタートスイッチの操作信号と、複数の停止スイッチに接続されたスイッチ基板からの操作信号と、セレクタからのメダル投入信号を受信して制御基板に送信するものの場合、上述した不正行為を防止するためには、扉中継基板の出力信号に対応して、扉中継基板に対して不正行為の防止対策を講じるだけでなく、扉中継基板の３つの入力信号のうち、少なくとも１つの信号を出力する基板などに対しても、不正行為の防止対策を講じる必要がある。
【００１１】
請求項２に係る発明は、この点に鑑みて、請求項１記載のスロットマシンにおいて、特に、上記扉中継基板が、一回の遊技動作を完結するために設けられた複数の操作部（例えばスタートスイッチや停止スイッチなど）からの操作信号を制御基板に転送するものの場合、上記複数の操作部のうち、少なくとも一つの操作部にその発信部を覆うカバー部材を設け、このカバー部材も、上記中継基板カバーと同じく、その配置個所に締結具により固定するための固定部と、カバー部材の固定状態が一旦解除された場合にその痕跡を表示する痕跡表示手段とを有する構成にする。この構成では、一回の遊技動作を完結するための複数の操作部のうち、一つの操作部の発信部がカバー部材によって覆われており、また、カバー部材は固定部で固定され、その固定状態が一旦解除された場合その痕跡が痕跡表示手段によって表示されるため、操作部の発信部から不正な信号を扉中継基板を通して制御基板に入力することを予防ないし防止することができる。
【００１２】
請求項３に係る発明は、請求項２記載のスロットマシンにおいて、上記カバー部材を、変動表示装置の各変動表示部の変動表示を個別に停止させる複数の停止スイッチに接続されたスイッチ基板を覆うものにする。この構成では、停止スイッチの発信部としてのスイッチ基板がカバー部材によって覆われており、スイッチ基板から不正な信号を扉中継基板を通して制御基板に入力することを防止できる。
【００１３】
請求項４に係る発明は、請求項１記載のスロットマシンにおいて、上記中継基板カバーの痕跡表示手段を、中継基板カバーの固定部を中継基板カバーの他の部位に連結しかつ切断し易くするために狭小に形成された脆弱部によって構成する。この構成では、単に封印シールで解除の痕跡を表示する場合に比べてその痕跡が隠蔽され難いため、その分不正行為の防止効果を高めることができる。
【００１４】
請求項５に係る発明は、請求項２又は３記載のスロットマシンにおいて、上記カバー部材の痕跡表示手段を、カバー部材の固定部をカバー部材の他の部位に連結しかつ切断し易くするために狭小に形成された脆弱部によって構成する。この場合も、請求項３の場合と同様に、不正行為の防止効果を高めることができる。
【００１５】
請求項６に係る発明は、請求項４又は５記載のスロットマシンにおいて、締結具などの好ましい形態を提供するものである。すなわち、上記締結具を、ねじ込み方向にのみ操作可能なワンウエイネジによって構成し、上記固定部を、このワンウエイネジが挿入可能な段付き孔を有する略円筒状のものにし、上記脆弱部を、１つの固定部に対し一対設ける構成にする。この構成では、締結具としてのワンウエイネジによって中継基板カバー又はカバー部材の固定部を簡単に分離不能に固定することができ、また、この固定状態を解除するために一対の脆弱部をそれぞれニッパなどで切断する必要があり、切断の痕跡が２個所で明確なものになり、不正行為の防止効果をより高めることができる。
【００１６】
請求項７に係る発明は、請求項６記載のスロットマシンにおいて、上記固定部の、一対の脆弱部に挟まれた部位にスリットを設けるとともに、固定部の段付き孔の大径孔部の内面に、ワンウエイネジの頭部と滑り難くするための滑り止め部を形成する構成にする。この構成では、一対の脆弱部を切断して固定部の固定状態を解除した後中継基板カバー又はカバー部材を新しいものに交換する場合には、ラジオペンチなどで固定部の外周側からワンウエイネジを挟んで回す際に滑り止め部がワンウエイネジの頭部に食い込んでワンウエイネジをも容易に回すことができる。
【００１７】
請求項８に係る発明は、請求項１ないし請求項７のいずれか一つに記載のスロットマシンにおいて、上記中継基板カバーに、扉中継基板に実装されたコネクタに接続するケーブルを通すための切り欠き部を設け、この切り欠き部の幅寸法を、上記ケーブル側のコネクタのヘッド長さよりも小さく設定する構成にする。この構成では、扉中継基板に実装されたコネクタに接続するケーブルを、中継基板カバーに設けた切り欠き部を通すことによって、ケーブルの配線を容易に行うことができる上、上記切り欠き部の幅寸法が、ゲーブル側のコネクタのヘッド長さよりも小さく設定されているため、中継基板カバーで扉中継基板を覆った状態では上記切り欠き部を通してケーブル側のコネクタを抜き取ることができず、不正行為の防止効果をより高めることができる。
【発明の効果】
【００１８】
以上のように、本発明のスロットマシンによれば、前扉の裏面側に取り付けられた扉中継基板の取付面と反対側の表面全体が中継基板カバーによって覆われ、かつ中継基板カバーは固定部で固定され、その固定状態が一旦解除された場合その痕跡が痕跡表示手段によって表示されるため、扉中継基板側のコネクタに接続されたケーブルを外して筐体側の制御基板に不正な信号を入力するなどの不正行為を防止することができる。しかも、扉中継基板は、従来どおり前扉の裏面側に取り付けられた状態のままであって、この扉中継基板の取付面と反対側の表面全体を中継基板カバーで覆っているに過ぎないため、干渉を避けるために筐体側の変動表示装置を筐体内の奥寄りに移動させる必要はなく、実施化を有効に図ることができる。
【００１９】
特に、請求項２に係る発明では、一回の遊技動作を完結するための複数の操作部のうち、一つの操作部の発信部がカバー部材によって覆われ、かつカバー部材は固定部で固定され、その固定状態が一旦解除された場合その痕跡が痕跡表示手段によって表示されるため、操作部の発信部から不正な信号を扉中継基板を通して制御基板に入力することをも防止することができ、不正行為の防止効果を高めることができる。
【００２０】
請求項４に係る発明では、中継基板カバーの固定状態が解除された場合の痕跡が隠蔽され難いため、その分不正行為の防止効果を高めることができる。
【００２１】
請求項５に係る発明では、カバー部材の固定状態が解除された場合の痕跡が隠蔽され難いため、その分不正行為の防止効果を高めることができる。
【００２２】
請求項６に係る発明では、締結具としてのワンウエイネジによって中継基板カバー又はカバー部材の固定部を簡単に分離不能に固定することができる上、この固定状態を解除するために一対の脆弱部をそれぞれ切断する必要があり、切断の痕跡が２個所で明確なものになるので、不正行為の防止効果をより高めることができる。
【００２３】
請求項７に係る発明では、一対の脆弱部を切断して固定部の固定状態を解除した後中継基板カバー又はカバー部材を新しいものに交換する場合には、ラジオペンチなどで固定部の外周側からワンウエイネジを挟んで回す際に滑り止め部がワンウエイネジの頭部に食い込んでワンウエイネジをも容易に回すことができるので、交換作業の円滑化に寄与することができるという効果を併有する。
【００２４】
さらに、請求項８に係る発明では、中継基板カバーに設けた切り欠き部によって扉中継基板に実装されたコネクタに接続するケーブルの配線を容易に行うことができる上、上記切り欠き部の幅寸法がケーブル側のコネクタのヘッド長さよりも小さく設定されているため、中継基板カバーで扉中継基板を覆った状態では切り欠き部を通してケーブル側のコネクタを抜き取ることができず、不正行為の防止効果をより一層高めることができる。
【発明を実施するための最良の形態】
【００２５】
以下、本発明を実施するための最良の形態である実施形態を図面に基づいて説明する。
【００２６】
図１ないし図３は本発明の一実施形態に係るスロットマシンを示し、１はスロットマシンの遊技面である前面部を構成する前扉であって、この前扉１は、筐体２の前方開口部に正面側から向かって左側をヒンジ側として開閉可能に取り付けられている。
【００２７】
上記前扉１の上部には上部ランプ３、液晶表示部４及び左右２つのスピーカ５ａ，５ｂが設けられているとともに、前扉１の中央部には中央パネル６及び中央操作盤７が設けられている。液晶表示部４は、遊技の進行に応じてキャラクターなどを画面上に表示して遊技演出を行うようになっている。中央パネル６は、アクリル板のような透明な合成樹脂板や強化ガラス板などの裏面にシルクスクリーン印刷により絵柄や模様などを施してなり、この中央パネル６には、シルクスクリーン印刷を施さず透明なままの部分である矩形状のリール表示窓８が形成されている。また、中央操作盤７にはメダル投入口１１、スタートスイッチ１２、３つの停止スイッチとしての停止ボタン１３，１３，１３、マックスベットボタン１４及び精算ボタン１５などが設けられており、中央操作盤７よりも下側の前扉１の下部には下部パネル１６、メダル払出口１７及びメダル受け皿１８が設けられている。
【００２８】
上記筐体２内には、図２に示すように、前扉１のリール表示窓８に対向して変動表示装置としてのリール装置２１が配置されている。このリール装置２１は、各々独自に回転する横並び３つの変動表示部としての回転リール２２ａ，２２ｂ，２２ｃを有しており、これらの回転リール２２ａ〜２２ｃの外周面にはそれぞれ複数の図柄（図示せず）が施され、前扉１を閉じた状態で各回転リール２２ａ〜２２ｃ毎３つずつ計９つの図柄が前扉１のリール表示窓８を通して外部に見えるようになっている。また、筐体２内のリール装置２１上側には、スロットマシンの遊技動作を司る主制御基板４５（図４参照）を収容する主基板ケース２３が取付プレート２４を介在して筐体２の背面部に固定して配置されているとともに、筐体２内のリール装置２１右側には内部中継基板２５が筐体２の側壁部に固定して配置されており、筐体２内のリール装置２１下側にはホッパー装置２６及び電源ユニット２７などが配置されている。
【００２９】
一方、上記前扉１の裏面側には、図３に示すように、液晶表示部４及びスピーカ５ａ，５ｂなどを制御する副制御基板３０（図４参照）を収容する副基板ケース３１が取り付けられているとともに、中央パネル６のリール表示窓８周辺で各種の報知を行う報知器（図示せず）を装着するための内枠パネル３２が取り付けられており、この内枠パネル３２の下部には更にその上から扉中継基板３３が取り付けられている。また、前扉１の裏面側には、各停止ボタン１３に接続されたスイッチ基板としての停止ボタン基板３４が取り付けられているとともに、メダル投入口１１から投入されたメダルを選別するためのセレクタ３５、メダル払出通路３６及びインバータ基板用収納ケース３７などが取り付けられている。
【００３０】
図４はスロットマシンの制御系のブロック構成を示す。この図において、遊技者の遊技操作に関連するスタートスイッチ１２の信号、停止ボタン基板３４の信号及びセレクタ３５の信号などは、いずれも扉中継基板３３を通して主制御基板４５に転送される。この主制御基板４５には、スロットマシンの遊技動作を司るＣＰＵ（中央演算処理装置）３８、遊技動作に関する情報を記憶したＲＯＭ（読み出し専用記憶装置）３９、及び遊技動作に関連して一時的に情報を記憶するＲＡＭ４０などが実装されている。
【００３１】
上記主制御基板４５からは副制御基板３０に対し、遊技演出の指令信号が出力されるようになっており、副制御基板３０は、この指令信号に基づいて、液晶表示部４及びスピーカ５ａ，５ｂなどを作動させて遊技演出を実行する。また、主制御基板４５からは、遊技者の遊技操作に応じて、内部中継基板２５を通して、リール装置２１（詳しくはリール基板）に回転開始又は回転停止の信号を送ったり、ホッパー装置２６に払出信号を送ったりする。リール装置２１からはリールが停止したこと、あるいはその停止位置を示す信号などが内部中継基板２５を通して主制御基板４５に送信される。そして、主制御基板４５は、スタートスイッチ１２の操作が行われたことに応じて、上記ＣＰＵ３８で抽選を行うとともに、回転リール２２ａ〜２２ｃを一斉に回転させる。その後、各停止ボタン１３の操作に応じて、対応する回転リール２２ａ〜２２ｃを、上記抽選の結果と、各停止ボタン１３の操作のタイミングとに応じて、所定の駒数以内にて停止させるように制御する。また、所定の入賞図柄の組み合わせがリール表示窓８の有効入賞ライン上に停止したとき、所定枚数の遊技媒体としてのメダルを払出口１７から払い出すようになっている。
【００３２】
このようなスロットマシンにおいて、最も不正行為の対象になり易いのは、遊技動作に関連する情報を記憶したＲＯＭ３９を実装品とする主制御基板４５である。また、本実施形態のスロットマシンは、背景技術の項で特許文献３を例示して説明したいわゆるストック機能を有するものであり、この種のスロットマシンに対する不正行為として、遊技者の操作を伴わずに短時間に数多くのゲームを消化する機能を有する不正な機器を接続することによって、ストックゲームを消化していわゆるフラグの放出状態とし、この放出状態から遊技を行うことで不正にメダルを獲得することがある。このような不正行為は、前扉１の裏面側に取り付けた扉中継基板３３や停止ボタン基板３４などに接続されたケーブルが前扉１を少し開いただけで抜き取ることが可能であり、かつ目立たずに不正な機器を接続することが可能であることから、扉中継基板３３などに対して行われる。また、スロットマシンの場合、一回の遊技は、メダルの投入、スタートスイッチ１２の操作及び停止ボタン１３の操作で完結することから、遊技回数を擬似的に消化するためには、遊技者の操作に対応して、メダル投入（セレクタ３５）の信号、スタートスイッチ１２の操作信号及び停止ボタン１３の操作信号の全てをそれぞれ不正に入力する必要がある。それ故、上述した不正行為を防止するためには、扉中継基板３３の出力信号に対応して、扉中継基板３３に対して不正行為の防止対策を講じるだけでなく、扉中継基板の３つの入力信号のうち、少なくとも１つの信号を出力する基板などに対しても、不正行為の防止対策を講じる必要がある。
【００３３】
本実施形態においては、以上のことを考慮して、主制御基板４５、扉中継基板３３及び停止ボタン基板３４に対し、それぞれ独自に不正行為の防止対策を施しており、以下に、これらの防止対策について順次説明する。
【００３４】
図５及び図６は主制御基板４５に対する不正行為の防止対策として用いられる主基板ケース２３を示す。この主基板ケース２３は、上ケース４１と下ケース４２とにより収容空間としての矩形箱型のケース本体４３を構成し、このケース本体４３内に、上述の如きＣＰＵ３８やＲＯＭ３９などの外にコネクタ４４ａ，４４ｂ，４４ｃ，４４ｄを実装した主制御基板４５を収容するものである。下ケース４２の下面には、主基板ケース２３を筐体２の背面部に取り付けるための取付プレート２４が固定されている。
【００３５】
上記上ケース４１及び下ケース４２は、共に透明又は半透明なアクリル樹脂などの合成樹脂からなり、下ケース４２の互いに対向する２つの短辺のうち、一方の短辺には外方に延出する係合突起部４６が形成され、この係合突起部４６は、上ケース４１の対応する短辺に設けたスリット（図示せず）内に挿通されて、係合突起部４６をヒンジ点として上ケース４１が下ケース４２に対し開閉されるようになっている。また、上ケース４１の開閉ヒンジ点と反対側の短辺には上ケース４１と下ケース４２とを結合するための６つの結合部４７，４７，…が短辺に沿って横並びに形成されている。そして、一回の結合時にはその中の少なくとも１つの結合部４７で締結具４８により上ケース４１と下ケース４２とが分離不能に結合される。
【００３６】
上記締結具４８は、上ケース４１及び下ケース４２と同じくアクリル樹脂などの合成樹脂からなるもので、図７に拡大詳示するように、先端に第１の係合爪５１を有するピン部５２と、このピン部５２の基端側の外周を囲繞する円筒状の頭部５３と、この頭部５３とピン部５２の基端とをピン部５２の軸線を挟む２個所でそれぞれ連結する連結部５４，５４とを備えてなる。第１の係合爪５１は、ピン部５２の先端に形成した逆Ｕ字状の溝５５を挟んだ両側の部位に形成されていて、下ケース４２の後述する係止穴６５に挿入される時弾性変形して挿入され易くなっている。頭部５３の外周面には、その軸線方向の中央部でかつ軸線を挟む２個所にそれぞれ第２の係合爪５７が形成されているとともに、軸線方向の先端側でかつ円周方向に位相が各第２の係合爪５７と９０度異なる２個所にそれぞれ第３の係合爪５８が形成されている。各第２の係合爪５７は、その周囲の三方つまり左右両側と先端側とに形成したコ字形の切り欠き溝５９により弾性変形可能になっており、また各第３の係合爪５８も、その左右両側に形成した切り欠き溝６０，６０により弾性変形可能になっている。各連結部５４は、全長に亘って狭小で脆弱に形成されており、特に、頭部５３寄りの部位に幅寸法が他の部位よりも小さい脆弱部５４ａを有している。
【００３７】
一方、上記各結合部４７は、図８及び図９に詳示するように、それぞれ締結具４８の頭部５３が嵌合可能な底部４７ａを有する円筒状に形成されており、その深さは締結具４８の頭部５３の軸線方向の長さ寸法と略同一に設定されている。この各結合部４７の内周面には、開口寄りの軸線を挟む２個所にそれぞれ、図９に示す如く締結具４８の頭部５３が結合部１３内に浅く嵌合する仮止め状態のとき上記各第３の係合爪５８が係合する仮止め用の係止凹部６１が形成されているとともに、深さ方向の中央部でかつ円周方向に位相が各仮止め用の係止凹部６１と９０度異なる２個所にそれぞれ、図１０（ａ）に示す如く締結具４８の頭部５３が結合部４７内に嵌合した結合状態のとき上記各第２の係合爪５７が係合する結合用の係止凹部６２が形成されている。また、各結合部４７の底部４７ａには、上記結合状態のとき締結具４８のピン部５２が貫通する貫通孔６３が設けられている。
【００３８】
上記下ケース４２には、上ケース４１の各結合部４７に対応して、それぞれ締結受け部６４が設けられている。この締結受け部６４は、取付プレート２４上に支持された台座形のもので、締結受け部６４の中心には、締結具４８の頭部５３が結合部４７内に嵌合したときそのピン部５２先端の第１の係合爪５１が抜け止め状態に係合する係止穴６５が設けられており、これにより、上ケース４１の結合部４７と下ケース４２の締結受け部６４との間で両ケース４１，４２が締結具４８によって分離不能に結合される。この結合状態を解除して両ケース４１，４２を開放するときには、締結具４８の２つの連結部５４，５４の各脆弱部５４ａを共にニッパなどで切断すると、図１０（ｂ）に示すように、締結具４８の頭部５３は上ケース４１の結合部４７内に嵌合した状態のまま残り、締結具４８のピン部５２のみが上ケース４１の結合部４７の貫通孔６３から下ケース４１の締結受け部６４に抜け落ちて結合状態が解除されるようになっている。
【００３９】
さらに、図５及び図６に示すように、上記上ケース４１は、その長手方向の両端部分が中央部よりも一段低く形成されており、この上ケース４１の長手方向両端部分には主制御基板４５に実装された各コネクタ４４ａ〜４４ｄに対向して複数（図では４つ）の開口部６６，６７，６８，６９が設けられ、これらの開口部６６〜６９を通してそれぞれ主制御基板４５側の各コネクタ４４ａ〜４４ｄに対しケーブル側のコネクタ（図示せず）が接続される。ここで、主制御基板４５側のコネクタ４４ａ〜４４ｄのうち、コネクタ４４ａは、前扉１裏面側の扉中継基板３３にケーブル８１を介して接続されるものであり、コネクタ４４ｂは、前扉１裏面側の副基板ケース３１内に収納された副制御基板３０にケーブル（図示せず）を介して接続されるものであり、コネクタ４４ｃは、筐体２内の電源ユニット２７にケーブル（図示せず）を介して接続されるものであり、コネクタ４４ｄは、筐体２内の内部中継基板２５にケーブル８２を介して接続されるものである。
【００４０】
そして、上記主制御基板４５側のコネクタ４４ａ及びコネクタ４４ｄには、それぞれそのコネクタ４４ａ，４４ｄとそれに接続されるケーブル側のコネクタとを共に覆うコネクタカバー７１，７２が装着されている。この両コネクタカバー７１，７２は、共にアクリル樹脂などの合成樹脂からなり、コネクタカバー７１の内側側面には、コネクタ４４ａに接続されたケーブル８１を外部に導出させるための切り欠き部７３が形成されている一方、コネクタカバー７２の外側側面にも、同様にコネクタ４４ｄに接続されたケーブル８２を外部に導出させるための切り欠き部７４が形成されている。
【００４１】
上記コネクタカバー７１は、図１１に詳示するように、その開口面積が上ケース４１の開口部６６のそれよりも一回り大きく形成されており、このコネクタカバー７１の長手方向両側には、コネクタカバー７１を開口部６６に装着したとき、それぞれ上ケース４１の開口部６６近傍に設けた挿入孔７５と主制御基板４５に設けた挿入孔７６とに挿入して主制御基板４５の挿入孔７６に係合するように前方に延出しかつ内向き又は外向きに突出した一対の矢尻形の係合部７７，７７が形成されており、この各係合部７７は、上ケース４１と下ケース４２との結合を解除してケース本体４３の内側である主制御基板４５の裏側からのみ係合状態を解除可能に設けられている。
【００４２】
また、上記コネクタカバー７２は、図に詳示していないが、コネクタカバー７１の場合と同様に、その開口面積が上ケース４１の開口部６９のそれよりも一回り大きく形成されており、このコネクタカバー７２の長手方向両側には、コネクタカバー７２を開口部６９に装着したとき、それぞれ上ケース４１の開口部６９近傍に設けた挿入孔と主制御基板４５に設けた挿入孔とに挿入して主制御基板４５の挿入孔に係合するように前方に延出しかつ内向き又は外向きに突出した一対の矢尻形の係合部が形成されており、この各係合部は、上ケース４１と下ケース４２との結合を解除して主制御基板４５の裏側からのみ係合状態を解除可能に設けられている。
【００４３】
図１２ないし図１６は扉中継基板３３に対する不正行為の防止対策として用いられる中継基板カバー８４の取付構造を示す。
【００４４】
上記扉中継基板３３は、通常、専用のケース内に収容することなく露出した状態で内枠パネル３２の下部上に取り付けられるが、本実施形態では、この扉中継基板３３に実装された複数のコネクタ８３ａ，８３ｂ，８３ｃ，８３ｄ，８３ｅ，８３ｆ，８３ｇを含めて扉中継基板３３の取付面と反対側の表面全体が中継基板カバー８４によって覆われている。ここで、扉中継基板３３に実装されたコネクタ８３ａ〜８３ｇのうち、コネクタ８３ａは、上述した主制御基板４５にケーブル８１を介して接続されるものであり、コネクタ８３ｂは、前扉１裏面側の停止ボタン基板３４にケーブル８５ａを介して接続されるものであり、コネクタ８３ｃは、同じく前扉１裏面側のセレクタ３５にケーブル８５ｂを介して接続されるものである。また、コネクタ８３ｄは、精算ボタン１５とケーブル８５ｃを介して接続されるものであり、コネクタ８３ｅは、スタートスイッチ１２とケーブル８５ｄを介して接続されるものであり、コネクタ８３ｆは、マックスベットボタン１４とケーブル８５ｅを介して接続されるものであり、コネクタ８３ｇは、１ベットボタン（図示せず）とケーブル８５ｆを介して接続されるものである。
【００４５】
上記中継基板カバー８４は、取付状態で、内部の基板が視認可能な状態となることが好ましく、特に、透明あるいは半透明な合成樹脂などの素材により構成することが好ましい。このことで、内部状態の透明性を確保し、不正な改造を施された場合に容易に発見できる効果を奏する。中継基板カバー８４は、扉中継基板３３と対向する略横長矩形状の平面部８４ａと、この平面部８４ａの略全周縁に亘って形成されたフランジ部８４ｂとからなる。この中継基板カバー８４には、扉中継基板３３側のコネクタ８３ａに対応する部位に、コネクタ８３ａ全体を覆うように平面部８４ａの縁部を下方に延ばしてなる庇部８７が形成されているとともに、扉中継基板３３側の４つのコネクタ８３ａ，８３ｂ，８３ｃ，８３ｄに対応する部位に、それぞれフランジ部８４を切り欠いてなる４つの切り欠き部９５ａ，９５ｂ，９５ｃ，９５ｄが設けられて、ケーブル８１，８５ａ〜８５ｆの配線を確保するようになっている。図１３に示すように、切り欠き部９５ａの幅寸法Ｗ１は、ケーブル８１側のコネクタ８６ａのヘッド長さＷ２よりも小さく設定されている。また、他の切り欠き部９５ｂ〜９５ｄの幅寸法も、そこに通すケーブル８５ａ〜８５ｃ側のコネクタ８６ｂ〜８６ｄのヘッド長さよりも小さく設定されている。
【００４６】
上記扉中継基板３３には、図示していないが、スロットマシンの設定値を変更するための設定値変更スイッチ、大当たりが出た場合遊技を中断状態とするための打ち止め状態設定スイッチ、及び打ち止め状態としたときにクレジットを自動的に払い出すように設定するための自動精算設定スイッチなどが設けられることがある。これらのスイッチが設けられている場合、上記中継基板カバー８４に、スイッチを操作するための操作部を開口して設けることが好ましく、店員が設定状態を変更する度に中継基板カバー８４を外す必要がなくなる。また、スイッチのための開口部を設ける場合、スイッチの固定部分を、基板から突出するように構成し、その部分の形状を上記開口部の開口形状と略同一にするとともに、開口部周縁の中継基板カバー８４壁面をスイッチの固定部分よりも低くなるように設けることが好ましく、特に、開口部周縁の中継基板カバー８４壁面を扉中継基板３３と接触する程に近接するように設けることが好ましい。その場合、スイッチを押し下げしたときに生じる開口部の隙間から異物を侵入させて中継基板カバー８４内部に行う不正行為をも防止できるとともに、操作が容易になるという効果を奏する。また、中継基板カバー８４のスイッチに対応する開口部に開閉可能な扉構造を設けてもよい。
【００４７】
また、上記中継基板カバー８４は、内枠パネル３２に対し、上縁側の左右２箇所でそれぞれ通常のネジ８８により固定されているとともに、下縁側の左右２箇所にそれぞれフランジ部８４ｂより下方に突出して形成した固定部８９でワンウエイネジ９０により固定されている。上記固定部８９は、図１７に拡大詳示するように、ワンウエイネジ９０が挿入可能な段付き孔９１を有する円筒状のものであり、この固定部８９と基板カバー８４のフランジ部８４ｂとの間には両者を連結しかつ固定部８９を中継基板カバー８４から切断し易くするための一対の狭小な連結部である脆弱部９２，９２が形成されている。また、固定部８９には、この一対の脆弱部９２，９２に挟まれた部位にスリット９３が設けられているとともに、段付き孔９１の大径孔部の内面には、ワンウエイネジ９０の頭部９０ａと滑り難くするための一対の鋸刃状の滑り止め部９４，９４が形成されている。
【００４８】
上記ワンウエイネジ９０は、図１８に詳示するように、頭部９０ａのスクリュードライバーと係合する係合溝９０ｂの形状に特徴があるもので、スクリュードライバーではねじ込み方向にのみ操作可能に設けられている。つまり、係合溝９０ｂの壁面のうち、スクリュードライバーによるねじ込み時にそのスクリュードライバーと当接する壁面９０ｃ，９０ｃは溝底面９０ｄと略直角に交差しているが、ねじ込みを緩める時にスクリュードライバーと当接する壁面９０ｅ，９０ｅは溝底面９０ｄと斜めに傾斜している。従って、このワンウエイネジ９０により固定部８９ひいては基板カバー８４を一旦固定すると一対の脆弱部９２，９２を共に切断しない限り中継基板カバー８４は分離不能になる。
【００４９】
図１９ないし図２１は停止ボタン基板３４に対する不正行為の防止対策として用いられるカバー部材としてのボタン基板カバー１００の取付構造を示す。
【００５０】
上記停止ボタン基板３４は、中央操作盤７の裏面側で３つの停止ボタン１３，１３，１３に接続した状態で配置されており、この停止ボタン基板３４の前面側にはコネクタ１０１が実装されている。上記ボタン基板カバー１００は、停止ボタン基板３４を覆うためのもので、停止ボタン基板３の後面と対向する略横長矩形状の平面部１００ａと、この平面部１００ａの全周縁に亘って形成されたフランジ部１００ｂとからなり、フランジ部１００ｂは、停止ボタン基板３４よりも前方つまり中央操作盤７の裏面近傍にまで延びている。このボタン基板カバー１００の左右両側縁にはそれぞれ、通常のネジ１０２により中央操作盤７に固定するための第１の固定部１０３と、ワンウエイネジ１０４により中央操作盤７に固定するための第２の固定部１０５とが形成されている。
【００５１】
上記第２の固定部１０５は、図２２に拡大詳示するように、ワンウエイネジ１０４が挿入可能な段付き孔１０６を有する円筒状のものであり、この第２の固定部１０５とボタン基板カバー１００のフランジ部１００ｂとの間には両者を連結しかつ第２の固定部１０５をボタン基板カバー１００から切断し易くするための一対の狭小な連結部である脆弱部１０７ａ，１０７ｂが形成されている。また、第２の固定部１０５には、この一対の脆弱部１０７ａ，１０７ｂに挟まれた部位にスリット１０８が設けられているとともに、段付き孔１０６の大径孔部の内面には、ワンウエイネジ１０４の頭部１０４ａと滑り難くするための一対の鋸刃状の滑り止め部１０９，１０９が形成されている。
【００５２】
上記ワンウエイネジ１０４は、図に詳示していないが、上述したワンウエイネジ９０（図１８参照）と同じく、頭部１０４ａのスクリュードライバーと係合する係合溝１０４ｂの形状に特徴があるもので、スクリュードライバーではねじ込み方向にのみ操作可能に設けられている。このワンウエイネジ１０４により第２の固定部１０５ひいてはボタン基板カバー１００を一旦固定すると一対の脆弱部１０７ａ，１０７ｂを共に切断しない限りボタン基板カバー１００は分離不能になる。
【００５３】
次に、上記実施形態の作用効果、特に、前扉２の裏面側に取り付けられた扉中継基板３３及び停止ボタン基板３４に対する不正行為の防止対策上の作用効果を説明するに、上記扉中継基板３３は、その実装品であるコネクタ８３ａ〜８３ｇを含めて扉中継基板３３の取付面と反対側の表面全体が中継基板カバー８４によって覆われており、また、この中継基板カバー８４は、その下縁側の２個所にそれぞれ形成した固定部８９でワンウエイネジ９０により分離不能に固定されているため、不正に中継基板カバー８４を取り外した上で扉中継基板３３側のコネクタ８３ａからケーブル８１を外して筐体３側の主制御基板４５に不正な信号を入力するなどの不正行為を防止することができる。
【００５４】
しかも、上記扉中継基板３３は、従来どおり前扉１の裏面側で内枠パネル３２に取り付けられた状態のままであって、この扉中継基板３３の取付面と反対側の表面全体を中継基板カバー８４で覆っているに過ぎないため、扉中継基板３３及び中継基板カバー８４との干渉を避けるために筐体２側のリール装置２１を筐体２内の奥寄りに移動させる必要はなく、実施化を有効に図ることができる。
【００５５】
さらに、上記中継基板カバー８４は、扉中継基板３３側の４つのコネクタ８３ａ〜８３ｄに対応する部位に、それぞれケーブル８１，８５ａ〜８５ｆを配線するための切り欠き部９５ａ，９５ｂ，９５ｃ，９５ｄを有しているが、この切り欠き部９５ａ〜９５ｄの幅寸法は、いずれもそこに通すケーブル８１，８５ａ〜８５ｃ側のコネクタ８６ｂ〜８６ｄのヘッド長さよりも小さく設定されているため、中継基板カバー８４で覆われた扉中継基板３３側のコネクタ８３ａ〜８３ｄからケーブル８１，８５ａ〜８５ｃを外して切り欠き部９５ａ〜９５ｄより引き出すことができず、不正行為の防止効果を高めることができる。尚、ケーブル８５ｄ，８５ｅ，８４ｆは、いずれもそのコネクタのヘッド長さよりも幅寸法が大きい切り欠き部９５ａを通しているが、これらのケーブル８５ｄ〜８５ｆがそれぞれ接続される扉中継基板３３側のコネクタ８３ｅ〜８３ｇは、いずれもコネクタ８３ａの切り欠き部９５ａと反対側に設けられているため、中継基板カバー８４で覆われた扉中継基板３３側のコネクタ８３ｅ〜８３ｇからケーブル８５ｄ〜８５ｆを外すことはできない。
【００５６】
一方、上記扉中継基板３３のメンテナンス時などには、中継基板カバー８４の各固定部８９においてその固定部８９と中継基板カバー８４のフランジ部８４ｂとを連結する一対の脆弱部９２，９２をニッパなどで切断して固定部８９を中継基板カバー８４から切り離すことにより、中継基板カバー８４を取り外すことができるので、メンテナンス作業などに支障を来すことはなく、実施化を容易に図ることができる。また、中継基板カバー８４を取り外した後新しい中継基板カバー８４を取り付けるに当たっては、前扉１裏面側の内枠パネル３２上に残った固定部８９をワンウエイネジ９０と共に取り外す必要があるが、固定部８９にスリット９３が設けられているとともに、固定部８９の段付き孔９１の大径孔部内面に一対の鋸刃状の滑り止め部９４，９４が形成されているため、ラジオペンチなどで固定部８９の外周側からワンウエイネジ９０を挟んで回す際に上記各滑り止め部９４がワンウエイネジ９０の頭部９０ａに食い込んでワンウエイネジ９０をも容易に回すことができ、この点からも実施化を図る上で有利なものである。
【００５７】
また、上記停止ボタン基板３４は、ボタン基板カバー１００によって覆われ、かつボタン基板カバー１００は、その左右両側縁の第１の固定部１０３で通常のネジ１０２により固定されているだけでなく、左右両側縁の第２の固定部１０５でワンウエイネジ１０４により分離不能に固定されているため、不正にボタン基板カバー１０４を取り外して停止ボタン基板３４側から不正な信号を扉中継基板３３を通して主制御基板４５に入力することを防止することができ、不正行為の防止効果を一層高めることができる。
【００５８】
その上、上記第２の固定部１０５は、中継基板カバー８４の固定部８９と同様な構成になっているため、メンテナンス作業に支障を来すことがなく、実施化を容易に図ることができるなどの効果をも奏する。
【００５９】
尚、本発明は上記実施形態に限定されるものではなく、その他種々の形態を包含するものである。例えば上記実施形態では、中継基板カバー８４を前扉１の内枠パネル３２に固定するに当たり、中継基板カバー８４の上縁側の左右２箇所をそれぞれ通常のネジ８８により固定するとともに、下縁側の左右２箇所に形成した固定部８９，８９をそれぞれワンウエイネジ９０により固定するようにしたが、本発明は、図２３に示すように、中継基板カバー８４の下縁及び左右両側縁にそれぞれ複数の固定部１１０，１００，…を形成し、一回の固定時には中継基板カバー８４の上縁側の左右２個所をそれぞれ通常のネジ８８により固定するとともに、上記複数の固定部１１０，１１０，…の中の少なくとも１つをワンウエイネジにより固定するようにしてもよい。この場合、中継基板カバー８４の固定状態を解除する毎に新しい中継基板カバー８４に交換する必要がなくなるので、コスト面や利便性の面で有利である。
【００６０】
また、上記実施形態では、中継基板カバー８４を前扉１の内枠パネル３２に固定するに当たり、中継基板カバー８４の固定部８９をワンウエイネジ９０により分離不能に固定するとともに、この固定部８９と基板カバー８４とを連結しかつ切断し易くするための狭小な連結部である脆弱部９２を設ける構成にしたが、本発明は、基板カバー８４の固定構造としては、この実施形態のものに限らず、基板カバー８４を取り外した場合にその痕跡が残るものであればよく、例えば封印シールと固定ネジとで構成するだけでもよい。
【００６１】
さらに、上記実施形態では、スロットマシンの遊技動作を司る主制御基板４５とは別に、この主制御基板４５の指令信号に基づいて前扉１側の液晶表示部４及びスピーカ５ａ，５ｂなどを制御する副制御基板３０を備えるスロットマシンに適用した場合について述べたが、本発明は、この場合に限らず、１つの制御基板のみを備えるタイプ、あるいは主制御基板とは別に、複数の副制御基板を備えるタイプのスロットマシンにも同様に適用することができるのは勿論である。
【００６２】
さらに、上記実施形態では、横並びに３つの回転リール２２ａ〜２２ｃを有するリール装置２１を筐体２内に配置してなる普及型のスロットマシンに適用した場合について述べたが、本発明は、この普及型のスロットマシンに限らず、例えば３つ以外の複数の回転リールを有するリール装置を筐体内に配置してなり、あるいは回転リールの代わりに、回転ベルトを用い、この回転ベルトの外面に図柄を施してなる複数の図柄変動部を有する変動表示装置を筐体内に配置してなる特殊なスロットマシンにも提供することができる。
【図面の簡単な説明】
【００６３】
【図１】本発明の実施形態に係るスロットマシンの外観を示す正面図である。
【図２】上記スロットマシンから前扉を取り外して見た筐体内の配置レイアウトを示す正面図である。
【図３】上記前扉の裏面側を示す背面図である。
【図４】スロットマシンの制御系のブロック構成図である。
【図５】主基板ケースの斜視図である。
【図６】同平面図である。
【図７】締結具を示し、（ａ）は平面図、（ｂ）は正面図、（ｃ）は斜視図である。
【図８】主基板ケースの各結合部に締結具を保持させた状態を示す拡大斜視図である。
【図９】図８のＸ−Ｘ線における断面図である。
【図１０】（ａ）は図８のＹ−Ｙ線における上下ケースの結合状態を示す断面図、（ｂ）は上下ケースの分離状態を示す断面図である。
【図１１】図６のＺ−Ｚ線における拡大断面図である。
【図１２】内枠パネルに対する扉中継基板及び中継基板カバーの取付状態を示す図である。
【図１３】図１２の中央部分の一部切開した拡大図である。
【図１４】図１２のＣ方向から矢視図である。
【図１５】図１２のＤ―Ｄ線における拡大断面図である。
【図１６】図１２のＥ−Ｅ線における拡大断面図である。
【図１７】図１２のＦ矢付近の拡大図である。
【図１８】ワンウエイネジを示し、（ａ）は正面図、（ｂ）は側面図である。
【図１９】中央操作盤に対する停止ボタン基板及びボタン基板カバーの取付状態を示す図である。
【図２０】図１９のＧ−Ｇ線に沿って見た矢視図である。
【図２１】図１９のＨ−Ｈ線における拡大断面図である。
【図２２】図１９のＩ矢付近の拡大図である。
【図２３】別の実施形態を示す図１２相当図である。
【符号の説明】
【００６４】
１    前扉
２    筐体
７    中央操作盤
８    リール表示窓
１１    メダル投入口（操作部）
１２    スタートスイッチ（操作部）
１３    停止ボタン（停止スイッチ、操作部）
１４    マックスベットボタン（操作部）
２１    リール装置（変動表示装置）
２１ａ，２１ｂ，２１ｃ    回転リール（変動表示部）
３２    内枠パネル
３３    扉中継基板
３４    停止ボタン基板
３５    セレクタ
４５    主制御基板
８１，８５ａ〜８５ｆ    ケーブル
８４    中継基板カバー
８６ａ〜８６ｄ    ケーブル側のコネクタ
８９，１１０    固定部
９０，１０４    ワンウエイネジ（締結具）
９２，１０７ａ，１０７ｂ    脆弱部（痕跡表示手段）
９３，１０８    スリット
９４，１０９    滑り止め部
９５ａ〜９５ｄ    切り欠き部
１００    ボタン基板カバー（カバー部材）
１０５    第２の固定部
【図１】
2008067873.tif 000003
【図２】
2008067873.tif 000004
【図３】
2008067873.tif 000005
【図４】
2008067873.tif 000006
【図５】
2008067873.tif 000007
【図６】
2008067873.tif 000008
【図７】
2008067873.tif 000009
【図８】
2008067873.tif 000010
【図９】
2008067873.tif 000011
【図１０】
2008067873.tif 000012
【図１１】
2008067873.tif 000013
【図１２】
2008067873.tif 000014
【図１３】
2008067873.tif 000015
【図１４】
2008067873.tif 000016
【図１５】
2008067873.tif 000017
【図１６】
2008067873.tif 000018
【図１７】
2008067873.tif 000019
【図１８】
2008067873.tif 000020
【図１９】
2008067873.tif 000021
【図２０】
2008067873.tif 000022
【図２１】
2008067873.tif 000023
【図２２】
2008067873.tif 000024
【図２３】
2008067873.tif 000025